(57)【要約】  シリンダロックアセンブリは第１及び第２端部間に伸びる内部コアを有する円筒ロック容器を含む。内部コアは第１及び第２端部を貫通するコア軸を規定する。ロックシリンダは内部コア内で回転及び動作させるため内部コアに受止められる。ロックシリンダは内部でキーを受ける軸方向に伸びるキーと、ロックシリンダを貫通して且つキースロットと交差する軸方向に伸びるスロットを含む。回転板アセンブリは半径方向に伸びるスロット内で受止められ、少なくともキースロットの一部を阻止する。回転板は互いに対して可動する第１及び第２回転板を含む。第１及び第２回転板部材に係合する第１偏倚部材は第２回転板部材を第１回転板部材から半径方向に離間させるように圧迫する。第１及び第２回転板はキースロット内に受入れられたキーを通じて受け入れるための可変半径方向寸法を有する空間を規定し、この空間を通して且つキーホール内にキーを挿入すると、キーは第１回転板部材と係合し、第１係合部材の圧迫に抗して第２板部材に向けて半径方向に第１回転板部材を圧迫し、キーが空間を介してキースロットに入るのを可能にする。
2008530397.tif 000002
【特許請求の範囲】
【請求項１】
第１及び第２端部間に伸びる内部コアを有し、前記内部コアが前記第１及び第２端部を貫通して伸びるコア軸を規定する円筒ロック収容部と；
前記内部コア内で回転及び軸方向運動のために前記コア内に受止められるロックシリンダであり、且つ、内部でキーを受け入れるための軸方向に伸びているキーと、前記ロックシリンダを貫通し前記キースロットと交差する半径方向に伸びるスロットとを含むロックシリンダと；
前記半径方向に伸びるスロットに受け入れられ且つ前記スロットの少なくとも一部を阻止する回転板アセンブリであり、前記回転板は互いに対して可動である第１及び第２回転板部材と、前記第２回転板部材を前記第１回転板部材から半径方向に離間させるように圧迫するため前記第１及び第２回転板部材に係合する第１偏倚部材を含み、前記第１及び第２回転板部材が前記キースロット内に受け入れられる前記キーを通じて受け入れるため可変半径方向寸法を有する空間を規定し、前記空間を貫通し且つ前記キーホール内にキーを挿入すると、前記キーは前記第１回転板部材と係合し、前記第１偏倚部材の圧迫に抗して前記第１回転板部材を前記第２回転板部材に向けて半径方向に圧迫し前記キーが前記空間を貫通して前記キースロットに入るのを可能にするところの回転板アセンブリと；
を具備することを特徴とするシリンダロックアセンブリ。
【請求項２】
前記第１偏倚部材は前記ロックシリンダを前記ロック収容部に対して軸方向にロックするため前記円筒ロック収容部と係合して前記第２回転板部材を圧迫させることを特徴とする請求項１記載のシリンダロックアセンブリ。
【請求項３】
前記第１回転板部材が前記空間に伸び、前記第１偏倚部材の圧迫に抗して前記第１回転板部材を圧迫するため前記キーと係合可能な押縁を含むことを特徴とする請求項１記載のシリンダロックアセンブリ。
【請求項４】
第１アームが前記第１回転板部材から伸び、第２アームが前記第２回転板部材から伸び、前記第１偏倚部材が前記第１及び第２アーム間に介在することを特徴とする請求項１記載のシリンダロックアセンブリ。
【請求項５】
前記第１偏倚部材が前記第１回転板部材の前記キーとの係合で圧縮されることを特徴とする請求項４記載のシリンダロックアセンブリ。
【請求項６】
前記ロックシリンダはカム表面とカムの少なくとも一方を含み、前記ロック収容部は前記カム表面とカムの前記少なくとも１つと係合する前記カムの他方の少なくとも１つを含み、前記ロックシリンダの回転で、カム表面とカムの前記少なくとも１つは前記ロックシリンダを前方位置に軸方向に動かすため前記カム表面と前記カムの前記少なくとも１つの他方と係合することを特徴とする請求項１記載のシリンダロックアセンブリ。
【請求項７】
前記第１偏倚部材の圧迫に抗して前記第１回転板部材に向けて前記第２回転板部材を圧迫するため前記第２回転板部材と係合する第２偏倚部材を更に含むことを特徴とする請求項１記載のシリンダロックアセンブリ。
【請求項８】
前記第１及び第２端部間に伸びる内部コアを有し、前記内部コアが前記第１及び第２端部を貫通して伸びるコア軸を規定する円筒ロック収容部と；
前記コア内で回転及び半径方向に動くため前記内部コア内で受け入れられるロックシリンダであり、且つキーを受けるための軸方向に伸びたキースロットと、前記ロックシリンダを貫通して伸びる半径方向に伸び且つ前記キースロットと交差する半径方向に伸びたスロットとを含むロックシリンダと；
前記軸方向に伸びるスロット内で受け入れられ且つ少なくとも前記キースロットの一部を阻止する回転板部材と；
を具備し、カム表面とカムの少なくとも一方が前記ロックシリンダから伸び、前記ロック収容部が前記カム表面と、カム表面と前記ロックシリンダから伸びるカムの前記少なくとも一方と係合する前記カムの他方の少なくとも一つと係合し、前記ロックシリンダの回転で、カム表面とカムの前記少なくとも一方が前記カム表面と前記カムの前記少なくとも一方の前記他方と係合し、前記内部コア内の前記シリンダを軸方向で前位置に動かすことを特徴とするシリンダロックアセンブリ。
【請求項９】
前記回転板が互いに対して可動である第１及び第２回転板部材と、前記第２回転板部材を前記第１回転板部材から半径方向に離間させるように圧迫するための前記第１及び第２回転板部材と係合する第１偏倚部材とを含み、前記第１及び第２回転板部材は前記キースロット内で受け入れられる前記キーを通して受けるための可変半径方向寸法を有する空間を規定し、前記空間を貫通し且つ前記キーホール内に前記キーを挿入すると、前記キーが前記第１回転板部材と係合し、前記第１偏倚部材の圧迫に抗して前記第２回転板部材に向けて半径方向に前記第１回転板部材を圧迫し、前記キーが前記空間を介して前記スロットに入るのを可能にすることを特徴とする請求項８記載のシリンダロックアセンブリ。
【請求項１０】
前記第１偏倚手段が前記ロック収容部に対して前記ロックシリンダを軸方向にロックするため前記円筒ロック収容部と係合して前記第２回転板部材を圧迫することを特徴とする請求項９記載のシリンダロックアセンブリ。
【請求項１１】
前記第１回転板部材が前記空間に延び且つ前記第１偏倚手段の圧迫に抗して前記第１回転板部材を圧迫するため前記キーと係合可能な押縁を含むことを特徴とする請求項９記載のシリンダロックアセンブリ。
【請求項１２】
第１アームが前記第１回転板部材から伸び且つ第２アームが前記第２回転板部材から伸び、且つ前記第１偏倚部材が前記第１及び第２アーム間に介在することを特徴とする請求項９記載のシリンダロックアセンブリ。
【請求項１３】
前記第１偏倚部材が前記第１回転板部材の前記キーとの係合で圧縮されることを特徴とする請求項１２記載のシリンダロックアセンブリ。
【請求項１４】
前記第１偏倚部材の圧迫に抗して前記第１回転板部材に向けて前記第２回転板部材を押し付けるため、前記第２回転板部材と係合する第２偏倚部材を更に含むことを特徴とする請求項９記載のシリンダロックアセンブリ。
【請求項１５】
第１及び第２端部間に伸びる内部コアを有し、前記内部コアが前記第１及び第２端部を貫通して伸びるコア軸を規定する円筒ロック収容部と；
前記内部コア内の回転及び軸方向運動のための前記内部コア内で受止められるロックシリンダであり、且つ内部でキーを受け入れるための軸方向に伸びているキーと、前記ロックシリンダを貫通し且つ前記キースロットと交差する半径方向に伸びているスロットを含むロックシリンダと；
前記半径方向に伸びるスロット内で受止められ、前記キースロットの少なくとも一部を阻止する回転板アセンブリであり、且つ互いに対して可動である第１及び第２回転板部材、前記第２回転板部材を前記第１回転板部材から半径方向に離間するように圧迫するため前記第１及び第２回転板部材と係合する第１偏倚部材、及び前記第２回転板部材を前記第１偏倚部材の圧迫に抗して前記第１回転板部材に向けて圧迫するため前記第２回転板部材と係合する第２偏倚部材を含み、前記第１及び第２回転板部材が前記キースロット内に受止められたキーを貫通して受け入れるための種々の半径方向寸法を有する空間を規定し、前記空間を介して且つ前記キーホール内にキーを挿入すると、前記キーが前記第１回転板部材と係合し、前記第１偏倚部材に抗して前記第２回転板部材に半径方向に伸びて前記第１回転板部材と係合し、前記キーが前記空間を貫通して前記キースロットに入るのを可能にする回転板アセンブリと；
カム表面と前記ロックシリンダから伸びているカムの少なくとも１つであり、前記ロック収容部が前記カム表面と、カム表面と前記ロックシリンダから伸びているカムの少なくとも１つと係合する前記カムの他方の少なくとも１つを含み、前記ロックシリンダの回転で、前記カム表面と前記カムの前記少なくとも１つが前記カム表面と前記カムの前記少なくとも１つの前記他方と係合し、前記内部コア内で前記ロックシリンダを前方向位置に且つ軸方向に動かすカム表面と前記ロックシリンダから伸びているカムの少なくとも１つと；
を具備することを特徴とするシリンダロックアセンブリ。
【請求項１６】
前記第１偏倚部材が前記円筒ロック収容部と係合して前記第２回転板部材を圧迫して、前記ロック収容部に対して前記ロックシリンダを軸方向にロックすることを特徴とする請求項１５記載のシリンダロックアセンブリ。
【請求項１７】
前記第１回転板部材が前記空間に伸び且つ前記キーと係合し、前記第１偏倚部材の圧迫に抗して前記第１回転板部材を圧迫する押縁を含むことを特徴とする請求項１５記載のシリンダロックアセンブリ。
【請求項１８】
第１アームが前記第１回転板部材から伸び、第２アームが前記第２回転板部材から伸び、前記第１偏倚部材が前記第１及び第２アーム間に介在することを特徴とする請求項１５記載のシリンダロックアセンブリ。
【請求項１９】
前記第１偏倚部材が前記第１回転板部材の前記キーとの係合で圧縮されることを特徴とする請求項１８記載のシリンダロックアセンブリ。
【発明の詳細な説明】
【技術分野】
【０００１】
関連出願の相互参照
本願は２００５年２月８日に出願された米国仮特許出願第６０／６５０，９９５号に関する。
【０００２】
連邦政府委託研究に関する申立て
適用なし
【０００３】
本発明はシリンダロックアセンブリに関し、特に、円筒形ロック収容部の内部コア内で軸方向で且つ回転可能に移動可能なロックシリンダを有する自動点火ロックシリンダに関する。
【背景技術】
【０００４】
車両に使用される、図１に示される、従来技術の点火ロックアセンブリはロックアセンブリを受ける内部コアを有する円筒ロック収容部を含んでいる。ロックシリンダはロックシリンダ内に収容された複数のタンブラーと係合するキーを受け入れるキースロットを有する。バネ偏倚された回転板又は、アクチュエータは回転リングによりロックシリンダに形成された放射状スロット内に保持される。ロックシリンダの端部と係合するスナップは収容部内のロックシリンダを保持する。ロックシリンダはスイッチのような電気装置及び／又は操縦コラムロックのような機械装置を作動するためロック収容部内で軸方向に可動であり、車両点火を作動させるために回転可能である。
【発明の開示】
【発明が解決しようとする課題】
【０００５】
従来技術の点火ロックアセンブリはロックシリンダのキースロットにキーを差し込んで動作する。キーをキースロット内に挿入すると、キーの先端はキースロット内へのキーの完全な挿入を防止する回転板と係合する。使用者は回転板が回転リングの近傍に形成された開口部と整合されるまで回転板とロックシリンダ全体を軸方向で且つ前方向に圧迫しなければならない。回転板を開口部と整合させると、回転板はバネにより回転リング開口部に放射状（半径方向）に圧迫され、ロックシリンダを軸方向で且つ前方向位置にロックし、キースロット内にキーを更に挿入するためにキースロットをクリアする。不都合なことに、ロックシリンダを軸方向で且つ前方向に圧迫するために要求される力は面倒で、ある高級車のイメージを損なっている。
【課題を解決するための手段】
【０００６】
本発明は最初にロックシリンダを軸方向に強制することなくシリンダロックアセンブリキースロット内へのキーの挿入を可能にする回転板アセンブリを含むシリンダロックアセンブリを提供する。シリンダロックアセンブリは第１及び第２端部間に伸びる内部コアを有するシリンダロック収容部を含む。内部コアは第１及び第２端部を貫通して伸びるコア軸を規定する。ロックシリンダは内部コア内での回転及び軸方向動作のために内部コア内で受止められる。ロックシリンダは内部でキーを受け入れるための軸方向に伸びるキースロットと、ロックシリンダを貫通し且つキースロットと交差する半径方向に伸びるスロットを含む。回転板アセンブリは半径方向に伸びるスロットに受止められ、キースロットの少なくとも一部を阻止する。
【０００７】
回転板は互いに対して可動である第１及び第２回転板アセンブリを含む。第１及び第２回転板部材と係合する第１偏倚部材は第２回転板部材を第１回転板部材から半径方向に離間するように圧迫する。第１及び第２回転板部材はキースロット内で受け入れられるキーを通じて受けるための可変半径方向寸法を有する空間を規定し、この空間を介して且つキーホール内にキーを挿入すると、キーは第１回転板部材と係合し、第１回転板部材を第１偏倚部材の圧迫に抗して第２板部材に向かって半径方向に圧迫し、キーが空間を通じてキーホールに入るのを可能にする。
【０００８】
本発明の全般的な目的はキーをキースロットに挿入するためロックシリンダを軸方向に動かすことを要求しないシリンダロックアセンブリを提供することである。本目的は相対的に可動し且つ間に空間を形成する第１及び第２板部材を含み、ロックシリンダを軸方向に動かすことなくキーを空間を通じて且つキースロットに入るのを可能にする回転板アセンブリを提供することにより達成される。
【０００９】
本発明の他の目的はロックシリンダの回転でロックシリンダを軸方向に動かすシリンダロックアセンブリを提供することである。この目的はロックシリンダから軸方向に伸び且つロックシリンダの回転でロックシリンダを軸方向に押し付けるため円筒ロック収容部上に形成されたカム表面と係合するカム部材を提供することにより本発明の好ましい実施例で達成される。
【００１０】
本発明の前述の及び他の目的及び利点は以下の記載から明らかになるであろう。説明において本発明の好ましい実施例の一部を構成し且つ好ましい実施例が例示により示される添付の図面が参照される。
【００１１】
本発明の好ましい実施例が詳細に説明される前に、本発明はその応用に関して以下の説明に記載され又は図面に例示されたコンポーネントの構成及び配置の詳細に対して限定されないことが理解されるべきである。本発明は他の実施例に応用可能であり、種々の方法で実施且つ実行可能である。さらに、ここで使用される専門用語は説明のためであり、限定と見なすべきでないことが理解される。
【発明を実施するための最良の形態】
【００１２】
図２−図１２に示されるように、改良された点火ロックアセンブリ１０はキー１４を点火ロックアセンブリ１０内に形成されたキースロット１６に差し込むために必要な力を減ずる回転板アセンブリ１２を含んでいる。図２に示される点火ロックアセンブリ１０は円筒ロック収容部１８、回転リング２０、及びロックシリンダ２２を含む。従来技術におけるように、ロックシリンダ２２内に形成されたキースロット１６はキー１４を受入れる。本発明において、ロックシリンダ２２内に受け入れられる回転板アセンブリ２４は最初にロックシリンダ２２を軸方向に且つ前方向に強制することなくキー１４をキースロット１６に挿入するのを可能にする。さらに、ロックシリンダ２２から半径方向（放射状）に伸びているカム部材２６はロック収容部１８の前端部３８上に形成されたカム表面２８と係合し、充分に挿入されたキー１４によりロックシリンダ２２の回転によりロックシリンダ２２を軸方向に動かす。
【００１３】
円筒ロック収容部１８はプラスチック、金属等の適切な材料により形成され、円筒コア３４を規定する円筒壁３２を含む。コア３４は収容部１８の軸端部３６、３８を貫通して伸びるコア軸４０と同軸である。収容部１８は収容部端部３６、３８を貫通して伸びるコア３４内でロックシリンダ２２を受け入れる。従来技術で知られているように、円筒壁３２内に形成されたロッキングサイドバーロッキングチャネル（図示せず）はコア３４内に開き、ロック収容部１８内のロックシリンダ２２の回転を防止するためロックシリンダ２２の一部を形成するロッキングサイドバー（図示せず）と係合可能である。
【００１４】
収容部１８の後端部３６は円筒コア３４から放射状に離間し且つコア軸４０と同軸である軸方向に伸びた内部リップ部４２を含む。軸方向内部リップ部４２は収容部円筒壁３２の軸方向に伸びた後方外端部４４と結合され、回転リング２０を受けるための第１リセプタクル４６を規定するためコア第１開口端部３６から軸方向に離間されている。軸方向内部リップ部４２の軸方向外端部５０に結合された軸方向外リップ部４８は円筒コア３４から半径方向に離間され且つコア軸４０と同軸であり、ロックシリンダ２２の後端部５４を受けるため第１リセプタクル４６から軸方向に離間した第２リセプタクル５２を規定している。
【００１５】
収容部１８の前端部３８は軸方向スロット６２を有する軸方向前方対向端部５６を有する。スロット６２の一平面６４はコア軸と実質的に平行であり、スロット６２の反対側の表面６６はコア軸４０とある角度を形成し、軸方向前方対向端部５６に導くカム表面２８を形成する。
【００１６】
回転リング２０は第１リセプタクル４６内で受止められ且つコア軸４０と同軸である。回転リング２０の軸方向外方向対向端部７２は軸方向内部リップ部４２に突き当たり、軸方向外方向対向面７２から離間した回転リング２０の放射状内方向対向面７４は好ましくはロックシリンダ２２を受けるための内部コア３４の軸方向の伸張を規定するため内部コア３４と実質的に同一面である。放射状内方向及び外方向対向面７４及び７２は軸方向前端部及び後端部７６及び７８により結合される。軸方向後端部７８は実質的に平坦であり、収容部後部端部３６を閉じるフェイスプレート（面板）８０に突き当たる。
【００１７】
軸方向前端部７６は回転板アセンブリ２４と係合するため回転リング２０と収容部後方向端部４４間の間隙８８を形成し、収容部円筒壁３２の軸方向後方向対向端部４４に突き当たる軸方向前方向対向面８４を有する実質的に平坦な半円部８２を含む。半円部８２はほぼ平坦な半円部８２の軸方向前方向対向面８４から軸方向に離間された軸方向前方向対向面８６を有する面取り半円部８５により結合される。面取り半円部８５の軸方向前方向対向面８６は回転板アセンブリ２４と係合するため収容部円筒壁３２の軸方向後方向端部４４と面取り半円部８５間の間隙８８を形成する。
【００１８】
回転リング２０は保持ピン（図示せず）とナップ（結節部）９４により第１レセプタクル４６内で固定される。結節部９４は放射状外方向対向面７２内に形成された周辺スロット９２と交差する回転リング２０の放射状外方向対向面７２に形成された第１軸スロット９０内で受止められる。軸方向周辺スロット９０、９２は位置決めピンに対する第１リセプタクル４６内の回転リング２０を適当に位置決めするため収容部円筒壁３２からコア３４内に内方向に伸びる結節部９４又は位置決めピンを受ける。好ましくは、位置決めピンは円筒壁３２を貫通して形成された開口部９６内に圧入され、回転リング２０の放射状外方向対向面７２上に形成された平坦部９８と係合する。さらに、回転リング２０は好ましくは第１レセプタクル４６に配置され、回転リング端部７６、７８間の内方向対向面７４内に形成された軸方向スロット１００を円筒壁３２内に形成されたサイドバーロッキングチャンネルと整合する。
【００１９】
ロックシリンダ２２は円筒ロック収容部コア３４と回転リング２０を介して受止められ、軸方向キースロット１６を形成する円筒本体１０２を含む。この円筒本体１０２はロッキングサイドバー３９を伸ばし且つ後退させるためキースロット１６内に挿入されたキー１４と係合可能なタンブラー１０４を収容する。当技術で知られているように、適切なキー１４はロックシリンダ２２が後方位置（図４及び図８）及び前方位置（図６及び図１０）間のロック収容部１８に回転可能で且つ軸方向に可動であるようにタンブラー１０４と整合する。
【００２０】
図２−図６に示されるように、ロックシリンダ本体１０２は前端部１０８及び後端部５４を有する。後端部５４は面板８０を受けるため軸方向に伸びているタブ１１０を有する半径方向に伸びているカラー部１０９を貫通して伸び且つ滑動可能に係合している。面板８０は収容部１８の後端部３６を閉鎖し、キー１４を受けるためロックシリンダ本体１０２に形成されたキースロット１６と整合されたキーホール１１５を有する。カラー部１０９、タブ１１０及び面板８０は円筒ロック収容部１８の後部端３６の近くに形成された第２レセプタクル５２内で受止められる。タブ１１０は面板８０をカラー部１０９に固定し、円筒ロック収容部１８の第１端部３６の軸方向外部リップ部４８と滑動可能に係合する。
【００２１】
ロックシリンダ本体１０２の前端部１０８は収容部１８の前端部３８を貫通して伸びている。収容部前端部３８を超えて伸びるロックシリンダ本体前端部１０８の一部に形成された横断スロット１１４はスナップリング１１６と係合し、ロックシリンダ本体１０２が収容部１８の第１端部３６を貫通して円筒ロック収容部１８から滑り出るのを防止する。ロックシリンダ本体前端部１０８から伸びている軸方向に伸びるレバー１１８は、ロックシリンダ２２が前方位置である時、電子スイッチ、ステアリングホイールロックのような装置と係合可能である。キー１４がキースロット１６に完全に挿入され、ロックシリンダ２２が、後述するように、ユーザによりロックシリンダ２２の回転で前方に動くと、後端部５４の近傍のロックシリンダ２２を貫通する放射状スロット１２０は前方位置にロックシリンダ２２を保持する回転板アセンブリ２４を受入れる。
【００２２】
図２、図４−図６及び図８−図１０を参照すると、回転板アセンブリ２４はロックシリンダ２２に形成されたキースロット１６と交差し且つ阻止し、第１及び第２回転板部材１２２、１２４を含む。第１及び第２回転板部材１２２、１２４は互いに対して可動であり、可変半径方向寸法を有する空間１２６を形成する。可変寸法空間１２６は、最初にロックシリンダ２２全体を軸方向に圧迫することなく、空間１２６を貫通してキースロット１６へのキー１４の挿入を可能にする。好都合なことには、空間１２６を貫通してキー１４をキースロット１６に挿入すると、第２回転板部材１２４は、ロックシリンダ２２の前方位置への軸方向運動で、ロックシリンダ２２を前方位置でロックするために装填される。
【００２３】
第１回転板部材１２２はクロスバー１３２により結合された一端部を有する１対の離間したサイドバー１２８及び１３０を含んでいる。サイドバー１２８の一方は他方のサイドバー１３０に向かって伸びる押縁部１３４を有する。押縁部１３４まで案内する後方向対向ランプ１３６は第２回転板部材１２４に向けて第１回転板部材１２２を圧迫するため空間１２６に挿入されたキー１４と係合する。クロスバー１３２に形成された第２後方対向ランプ１３８は空間１２６内で且つ押縁部１３４と係合してキー１４を案内する。好都合なことには、キー１４を空間１２６を介してキースロット１６に挿入すると共にキー１４を押縁部１３４と係合させることにより、第１及び第２回転板部材１２２及び１２４間に介在した第１偏倚部材１４０を圧縮する。好ましくは、他方のサイドバー１３０から離間して一方のサイドバー１２８からの延びているアーム１４２は第１回転板部材１２２から離間して第２回転板部材１２４をバイアス（偏倚）する螺旋ばねのような第１偏倚部材１４０の一端部１４４と係合する。
【００２４】
第２回転板部材１２４もクロスバー１５０により一端部で結合された１対の離間したサイドバー１４６及び１４８を含んでいる。第２回転板部材１２４のサイドバー１４６及び１４８は第１回転板部材１２２のサイドバー１２８及び１３０と滑動可能に係合し、第１回転板部材１２２と協働して、キーを受けるための空間１２６を形成する。第２回転板部材サイドバー１４６の１つから延びているアーム１５２は第１偏倚部材１４０の反対端部と係合する。第２回転板部材１２４のクロスバー１５０上に形成された面取りリップ部１５６は第１回転板部材１２２から離間して伸び、前方向位置でロックシリンダ２２をロックするため間隙８８内に受止められる。
【００２５】
第１偏倚部材１４０は、好ましくは、第１及び第２回転板部材１２２、１２４のアーム１２及び１５２間に介在し、キー１４を空間１２６に挿入すると第１回転板部材１２２から離間するように第２回転板部材１２４を偏倚させる。単一の螺旋ばねが好まれるが、螺旋ばね、エラストマー材料、板バネのような１つ又は複数の部材は本発明の範囲から逸脱することなく使用できる。図５及び図９に示されるように、キー１４を空間１２６に挿入し、キー１４を第１回転板部材サイドバー１２８から空間１２６に延びる押縁部１３４と係合すると、キー１４は第１回転板部材１２２を第２回転板部材１２４に圧迫し、アーム１４２と１５２間に介在した第１偏倚部材１４０を圧縮する。圧縮された第１偏倚部材１４０は第２回転板部材１２４を“装填し”、図６及び図１０に示されるように、面取りリップ部１５６を、収容部円筒壁３２の軸方向外方向端部５８と回転リング２０の面取りされた半円部８５間の間隙８８と整合すると、第１偏倚部材１４０はロックシリンダ２２を前方向に保持するため面取りリップ部１５６を間隙８８内に圧迫する。
【００２６】
第２回転板部材１２４と回転リング２０間に介在する第２偏倚部材１５８はキー１４をキースロット１６から抜き取ると間隙８８から脱した面取りリップ部１５６を圧迫する。好ましくは、第２偏倚部材１５８は第２回転板部材サイドバー１４８から延びるアーム１５２と係合する一端部１６０を有する螺旋ばねであり、第１偏倚部材１４０の圧迫に抗して半径方向に第２回転板部材１２４を圧迫する。結果として、キースロット１６と空間１２６からキー１４を除去すると、第２回転板部材１２４は“非装填され”（即ち、第１偏倚部材が圧縮されない）、第２偏倚部材１５８は第１偏倚部材の圧迫に打勝ち、第２回転板部材面取りリップ部１５６を間隙８８から放射状に圧迫し、後位置に向かってロックシリンダ２２の軸方向運動を可能にする。
【００２７】
図２、図１１、及び図１２を参照すると、ロックシリンダ２２はロックシリンダ２２の回転で且つカム部材２６をカム面２８と係合すると軸方向で且つ前方向位置に圧迫される。ピンのようなカム部材２６はロックシリンダ本体１０２の前端部１０８に近接したロックシリンダ２２から放射状に延びている。ロックシリンダ２２の後方位置において、カム部材２６は円筒ロック収容部１８の前端部に形成された軸方向スロット６２に受止められ、カム面２８と係合可能である。ロックシリンダ２２の回転で、カム部材２６が、ロックシリンダ２２を軸方向で前方位置に向けて駆動するカム面２８と係合し、レバー１１８を装置と係合させる。有利なことには、カム部材２６とカム面２８はユーザがロックシリンダ２２を軸方向に押し付けることを不要にする。もちろん、もし望めば、ユーザは、本発明の範囲から逸脱することなく、カム部材２６と係合するカム面２８の軸方向駆動力を回避するためロックシリンダ２２を軸方向に押し付けることができる。
【００２８】
使用において、図２−図１２を参照すると、面板８０に形成されたキーホール１１５を通してキースロット１６に挿入されたキー１４は後方に対向するランプ１３６及び１３８により第１及び第２回転板部材１２２及び１２４間に形成された空間１２６に案内される。図５及び図９に示されるように、キー１４が空間１２６に挿入されるので、キーは第１回転板部材押縁部１３４と係合し、第１回転板部材１２２を第２回転板部材１２４に押し付け、第１偏倚部材１４０を圧縮し、第２回転板部材１２４を“装填する”。適切なキー１４をキースロット１６にさらに挿入すると、タンブラー１０４はロックシリンダ２２の回転及び軸方向の動きを可能にする。
【００２９】
ロックシリンダ２２の回転はカム部材２６をカム面２８に係合させ、ロックシリンダ２２を前方位置に向けて軸方向に引っ張り且つ軸方向に伸びるレバー１１８を装置と係合させる。有利なことには、ユーザによりロックシリンダ２２に作用する軸方向の力と対照的に、ロックシリンダ２２の回転はロックシリンダ２２を軸方向に且つ前方向に押し付け、ユーザによる円滑でわずらわしくない作動を提供する。もちろん、従来技術の点火ロックアセンブリでのように、ロックシリンダ２２を前方向位置でロックするため、ユーザによりロックシリンダ２２を前方向に押し付けることができる。
【００３０】
図６及び図１０に示されるように、前方位置に到達すると、第２回転板部材１２４は収容部円筒部材３２の軸方向外端部５８と回転リング２０の面取り半円部８５間の間隙８８と整合される。一旦第２回転板部材１２４が間隙８８と整合されると、第１偏倚部材１４０は第２回転板部材１２４の面取りリップ部１５６を間隙８８内に圧迫し、キー１４が空間１２６から除去されるまでロックシリンダ２２を前方位置でロックする。
【００３１】
図４及び図８を参照すると、キー１４をキースロット１６及び空間１２６から除去されると、第２偏倚部材１５８は間隙８８から外に面取りリップ部１５６を圧迫し、第１偏倚部材１４０は第１回転板部材１２２をキースロット１６内に放射状に圧迫する。面取りリップ部１５６を間隙８８から解除すると、ロックシリンダ２２は自由に後方位置に軸方向に後退できる。好ましくは、ロックシリンダ２２とロック収容部１８間に介在された第３偏倚部材（図示せず）がロックシリンダ２２を後退位置に圧迫する。
【００３２】
現在本発明の好ましい実施例と考えられるものが示され説明されたが、添付の特許請求の範囲により規定された本発明の範囲から逸脱することなく種々の変更及び改造が可能であることが当業者にとって明らかであろう。したがって、種々の代案及び実施例は本発明と見なされる要旨を特に指摘し且つ明確に要求する特許請求の範囲内であるとして考えられる。
【図面の簡単な説明】
【００３３】
【図１】図１は従来技術の点火ロックアセンブリの斜視分解図である。
【図２】図２は本発明を内蔵する点火ロックアセンブリの後部斜視分解図である。
【図３】図３は図２の点火ロックアセンブリの前部斜視分解図である。
【図４】図４はキーをキースロット内に挿入する以前の図２の点火ロックアセンブリの断面図である。
【図５】図５は後方向位置のロックシリンダでキースロットにキーを挿入時の図２の点火ロックアセンブリの断面図である。
【図６】図６は前方位置のロックシリンダで図２の点火ロックアセンブリの断面図である。
【図７】図７は図２の回転板アセンブリの後部斜視分解図である。
【図８】図８は第２回転板部材が装填されない状態で図２の回転板アセンブリの前部斜視図である。
【図９】図９は第２回転板部材が装填された状態で図２の回転板アセンブリの前部斜視図である。
【図１０】図１０は第２回転板部材が装填されない状態で、且つ第２偏倚部材が圧縮された状態で、図２の回転板アセンブリの前部斜視図である。
【図１１】図１１はロックシリンダの回転前に図２の点火ロックアセンブリの側部後部斜視図である。
【図１２】図１２はロックシリンダの回転後の図２の点火ロックアセンブリの側部後部斜視図である。
【符号の説明】
【００３４】
１０    点火ロックアセンブリ
１２    回転板アセンブリ
１４    キー
１６    キースロット
１８    円筒ロック収容部
２０    回転リング
２２    ロックシリンダ
２６    カム部材
３２    円筒壁
３４    円筒コア
３６、３８    軸端部
４０    コア軸
４２    軸方向内リップ部
４６    第１レセプタクル
８０    面板
８５    面取り半円部
８８    間隙
９６    開口部
９８    平坦部
１０４    タンブラー
１０９    カラー部
１１０    タブ
１１６    スナップリング
１２２、１２４    回転板部材
【図１】
2008530397.tif 000003
【図２】
2008530397.tif 000004
【図３】
2008530397.tif 000005
【図４】
2008530397.tif 000006
【図５】
2008530397.tif 000007
【図６】
2008530397.tif 000008
【図７】
2008530397.tif 000009
【図８】
2008530397.tif 000010
【図９】
2008530397.tif 000011
【図１０】
2008530397.tif 000012
【図１１】
2008530397.tif 000013
【図１２】
2008530397.tif 000014
【国際調査報告】
2008530397.tif 000015
2008530397.tif 000016